(57)【特許請求の範囲】
【請求項１】
キーワードを格納するキーワード格納部と、
音声データを取得するマイクと、
前記マイクからの音声データを文字列に変換する音声認識部と、
前記キーワード格納部に格納されているキーワードを前記文字列から検出するキーワード検出部と、
前記キーワード検出部の検出するキーワードの前後の前記文字列から、名詞を検出する名詞検出部と、
前記名詞検出部がキーワードを検出した日時を検出する日時検出部と、
前記名詞検出部の検出する名詞に関連するウェブページの所在を、通信ネットワーク上で検索するウェブページ検索部と、
前記キーワード検出部の検出するキーワード、前記日時検出部の検出する日時、前記名詞検出部の検出する名詞、及び、前記ウェブページ検索部の検索結果を、互いに関連付けて記憶する検出結果記憶部と、
充電式電池が充電中であるか否かを判定する電源制御部と、
前記電源制御部が充電中であると判定すると、前記音声認識部の動作を停止させる音声認識制御部と、
前記名詞検出部がキーワードを検出した時における前記マイクの地理的位置を特定する位置特定部と、を備え、
前記ウェブページ検索部は、前記名詞検出部の検出する名詞及び前記位置特定部の特定する前記地理的位置に関連するウェブページの所在を、通信ネットワーク上で検索し、
前記検出結果記憶部は、前記位置特定部の特定する前記地理的位置をさらに関連付けて記憶する携帯端末装置。
【請求項２】
前記キーワード格納部に格納するキーワードを更新するキーワード更新部をさらに備える請求項１に記載の携帯端末装置。
【請求項３】
緯度及び経度で特定される住所を格納する住所格納部をさらに備え、
前記位置特定部は、前記名詞検出部がキーワードを検出した時における前記マイクの緯度及び経度を測定し、前記住所格納部を参照することで緯度及び経度で特定される住所を前記地理的位置として特定する
請求項１又は２に記載の携帯端末装置。
【請求項４】
前記位置特定部は、さらに、カメラが画像を撮影した時における前記地理的位置を特定して前記画像と関連付け、
前記検出結果記憶部は、さらに、前記位置特定部の特定する位置と関連付けられている画像をさらに関連付けて記憶する請求項１から３のいずれかに記載の携帯端末装置。
【請求項５】
請求項１から４のいずれかに記載の携帯端末装置と、
通信ネットワークに接続され、ウェブページを表示可能なファイルを格納するウェブサーバと、
を備える情報記録システム。
【請求項６】
キーワードを格納するキーワード格納部と、
マイクからの音声データを文字列に変換する音声認識部と、
前記キーワード格納部に格納されているキーワードを前記文字列から検出するキーワード検出部と、
前記キーワード検出部の検出するキーワードの前後の前記文字列から名詞を検出する名詞検出部と、
前記名詞検出部がキーワードを検出した日時を検出する日時検出部と、
前記名詞検出部の検出する名詞に関連するウェブページの所在を、通信ネットワーク上で検索するウェブページ検索部と、
前記キーワード検出部の検出するキーワード、前記日時検出部の検出する日時、前記名詞検出部の検出する名詞、及び、前記ウェブページ検索部の検索結果を、互いに関連付けて記憶する検出結果記憶部と、
充電式電池が充電中であるか否かを判定する電源制御部と、
前記電源制御部が充電中であると判定すると、前記音声認識部の動作を停止させる音声認識制御部と、
前記名詞検出部がキーワードを検出した時における前記マイクの地理的位置を特定する位置特定部と、を備え、
前記ウェブページ検索部は、前記名詞検出部の検出する名詞及び前記位置特定部の特定する前記地理的位置に関連するウェブページの所在を、通信ネットワーク上で検索し、
前記検出結果記憶部は、前記位置特定部の特定する前記地理的位置をさらに関連付けて記憶する情報記録回路。
【請求項７】
充電式電池が充電中であるか否かを判定し、充電中でない場合に、マイクからの音声データを文字列に変換する音声認識手順と、
キーワードを格納するキーワード格納部に格納されているキーワードを前記文字列から検出するキーワード検出手順と、
前記キーワード検出手順でキーワードを検出した日時を検出するとともに、当該日時における前記マイクの地理的位置を特定し、前記キーワード検出手順で検出したキーワードの前後の前記文字列から名詞を検出し、検出した名詞及び特定した地理的位置に関連するウェブページの所在を通信ネットワーク上で検索する情報収集手順と、
前記情報収集手順で収集した情報を、互いに関連付けて記憶する情報記憶手順と、
を順にコンピュータに実行させる情報記録方法。
【請求項８】
充電式電池が充電中であるか否かを判定し、充電中でない場合に、マイクからの音声データを文字列に変換する音声認識ステップと、
キーワードを格納するメモリに格納されているキーワードを前記文字列から検出するキーワード検出ステップと、
前記キーワード検出ステップでキーワードを検出した日時を検出するとともに、当該日時における前記マイクの地理的位置を特定し、前記キーワード検出ステップで検出したキーワードの前後の前記文字列から名詞を検出し、検出した名詞及び特定した地理的位置に関連するウェブページの所在を通信ネットワーク上で検索する情報収集ステップと、
前記情報収集ステップで収集した情報を、互いに関連付けて記憶する情報記憶ステップと、
を順にコンピュータに実行させる情報記録プログラム。
【発明の詳細な説明】
【技術分野】
【０００１】
本発明は、音声で入力した情報及びこれに関連する情報を記録する携帯端末装置及び情報記録方法に関する。
【背景技術】
【０００２】
音声で入力した情報及びこれに関連する情報を記録する情報記録システムが提案されている（例えば、特許文献１−２参照。）。
【０００３】
特許文献１に記載された情報記録システムは、携帯電話と、データベースサーバと、を備え、以下のように動作する。携帯電話は、マイクから入力された検索キーワード文字データに変換し、データベースサーバに送信する。データベースサーバは、携帯電話より送られてきた検索キーワードに基づいてデータ検索を行い、その結果を携帯電話に送信する。
【０００４】
特許文献２に記載された情報記録システムは、携帯電話と、音声認識・検索サーバと、を備え、以下のように動作する。携帯電話は、音声入力部から入力された検索キーワードを音声認識・検索サーバに送信する。音声認識・検索サーバは、検索キーワードを音声認識し、音声認識結果に応じて検索結果リストを作成して携帯電話に送信する。
【先行技術文献】
【特許文献】
【０００５】
【特許文献１】特開２００３−２２３４４８号公報
【特許文献２】特開２００９−９１７０号公報
【発明の概要】
【発明が解決しようとする課題】
【０００６】
携帯端末装置は、常にユーザに携帯され、いろいろな場所において写真やメモを保存し、日々の行動を記録するといった使われ方をしている。写真やメモなどのそれぞれの機能は独立しており、保存されるデータも独立している。このため、日々の行動を記録するといった使い方をしようとすると、写真やメモなどのそれぞれの操作やデータの整理をユーザが行なわなければならない。
【０００７】
上述した特許文献１−２に記載の情報記録システムにおいては、入力された検索キーワードを用いて検索を行なうだけであり、写真やメモなどのそれぞれの操作やデータの整理については、ユーザが行なわなければならない。このため、日々の行動を簡易に記録することはできなかった
【０００８】
そこで、前記課題を解決するために、本発明は、日々の行動を簡易に記録することのできる携帯端末装置、情報記録システム、情報記録回路、情報記録方法、及び、情報記録プログラムの提供を目的とする。
【課題を解決するための手段】
【０００９】
本願発明の携帯端末装置は、キーワードを格納するキーワード格納部と、音声データを取得するマイクと、前記マイクからの音声データを文字列に変換する音声認識部と、前記キーワード格納部に格納されているキーワードを前記文字列から検出するキーワード検出部と、前記キーワード検出部の検出するキーワードの前後の前記文字列から、名詞を検出する名詞検出部と、前記名詞検出部がキーワードを検出した日時を検出する日時検出部と、前記名詞検出部の検出する名詞に関連するウェブページの所在を、通信ネットワーク上で検索するウェブページ検索部と、前記キーワード検出部の検出するキーワード、前記日時検出部の検出する日時、前記名詞検出部の検出する名詞、及び、前記ウェブページ検索部の検索結果を、互いに関連付けて記憶する検出結果記憶部と、充電式電池が充電中であるか否かを判定する電源制御部と、前記電源制御部が充電中であると判定すると、前記音声認識部の動作を停止させる音声認識制御部と、前記名詞検出部がキーワードを検出した時における前記マイクの地理的位置を特定する位置特定部と、を備え、前記ウェブページ検索部は、前記名詞検出部の検出する名詞及び前記位置特定部の特定する前記地理的位置に関連するウェブページの所在を、通信ネットワーク上で検索し、前記検出結果記憶部は、前記位置特定部の特定する前記地理的位置をさらに関連付けて記憶する。
【００１０】
本願発明の情報記録システムは、本発明に係る携帯端末装置と、通信ネットワークに接続され、ウェブページを表示可能なファイルを格納するウェブサーバと、を備える。
【００１１】
本願発明の情報記録回路は、キーワードを格納するキーワード格納部と、マイクからの音声データを文字列に変換する音声認識部と、前記キーワード格納部に格納されているキーワードを前記文字列から検出するキーワード検出部と、前記キーワード検出部の検出するキーワードの前後の前記文字列から名詞を検出する名詞検出部と、前記名詞検出部がキーワードを検出した日時を検出する日時検出部と、前記名詞検出部の検出する名詞に関連するウェブページの所在を、通信ネットワーク上で検索するウェブページ検索部と、前記キーワード検出部の検出するキーワード、前記日時検出部の検出する日時、前記名詞検出部の検出する名詞、及び、前記ウェブページ検索部の検索結果を、互いに関連付けて記憶する検出結果記憶部と、  充電式電池が充電中であるか否かを判定する電源制御部と、前記電源制御部が充電中であると判定すると、前記音声認識部の動作を停止させる音声認識制御部と、前記名詞検出部がキーワードを検出した時における前記マイクの地理的位置を特定する位置特定部と、を備え、前記ウェブページ検索部は、前記名詞検出部の検出する名詞及び前記位置特定部の特定する前記地理的位置に関連するウェブページの所在を、通信ネットワーク上で検索し、前記検出結果記憶部は、前記位置特定部の特定する前記地理的位置をさらに関連付けて記憶する。
【００１２】
本願発明の情報記録方法は、充電式電池が充電中であるか否かを判定し、充電中でない場合に、マイクからの音声データを文字列に変換する音声認識手順と、キーワードを格納するキーワード格納部に格納されているキーワードを前記文字列から検出するキーワード検出手順と、前記キーワード検出手順でキーワードを検出した日時を検出するとともに、当該日時における前記マイクの地理的位置を特定し、前記キーワード検出手順で検出したキーワードの前後の前記文字列から名詞を検出し、検出した名詞及び特定した地理的位置に関連するウェブページの所在を通信ネットワーク上で検索する情報収集手順と、前記情報収集手順で収集した情報を、互いに関連付けて記憶する情報記憶手順と、を順にコンピュータに実行させる。
【００１３】
本願発明の情報記録プログラムは、充電式電池が充電中であるか否かを判定し、充電中でない場合に、マイクからの音声データを文字列に変換する音声認識ステップと、キーワードを格納するメモリに格納されているキーワードを前記文字列から検出するキーワード検出ステップと、前記キーワード検出ステップでキーワードを検出した日時を検出するとともに、当該日時における前記マイクの地理的位置を特定し、前記キーワード検出ステップで検出したキーワードの前後の前記文字列から名詞を検出し、検出した名詞及び特定した地理的位置に関連するウェブページの所在を通信ネットワーク上で検索する情報収集ステップと、前記情報収集ステップで収集した情報を、互いに関連付けて記憶する情報記憶ステップと、を順にコンピュータに実行させる。
【発明の効果】
【００１４】
本発明によれば、日々の行動を簡易に記録することのできる携帯端末装置、情報記録回路、情報記録システム、情報記録方法、及び、情報記録プログラムを提供することができる。
【図面の簡単な説明】
【００１５】
【図１】実施形態１に係る情報記録システムの一例を示す。
【図２】実施形態１に係る携帯端末装置の一例を示す。
【図３】実施形態１に係る文字列変換方法の一例を示す。
【図４】実施形態１に係る文字列変換プログラムの一例を示す。
【図５】実施形態２に係る携帯端末装置の一例を示す。
【図６】実施形態２に係る情報記録方法の一例を示す。
【図７】実施形態２に係る文字列変換プログラムの一例を示す。
【図８】実施形態３に係る携帯端末装置の構成例を示す。
【図９】実施形態３に係る携帯端末装置の外観例であり、（ａ）は正面図を示し、（ｂ）は側面図を示す。
【図１０】音声認識により情報記録を行なう制御フローの一例を示す。
【図１１】記録データベースの一例を示す。
【発明を実施するための形態】
【００１６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１７】
（実施形態１）
本発明は音声認識機能を備えた携帯端末装置であって、事前に登録してあるキーワードを検知した場合、検知時間、場所情報等を取得する手段を有し、キーワード検知した音声認識の前後に検知した単語情報を合わせて格納する手段を有することを特徴とする。
【００１８】
図１に、本実施形態に係る情報記録システムの一例を示す。本実施形態に係る情報記録システムは、本実施形態に係る携帯端末装置１０１と、ウェブサーバ９１と、が通信ネットワーク１００を介して接続されている。ウェブサーバ９１は、通信ネットワーク１００に接続され、ウェブページを表示可能なファイルを格納する。これにより、携帯端末装置１０１は、ウェブページを検索して表示することができる。
【００１９】
図２に、本実施形態に係る携帯端末装置の一例を示す。本実施形態に係る携帯端末装置１０１は、キーワード格納部１２−１と、マイク１５と、音声認識部１１−１と、キーワード検出部１１−２と、名詞検出部１１−３と、日時検出部１１−４と、ウェブページ検索部１１−５と、検出結果記憶部１２−２と、を備える。
【００２０】
マイク１５は、音声データを取得する。キーワード格納部１２−１は、キーワードを格納する。検出結果記憶部１２−２は、キーワード検出部１１−２の検出するキーワード、日時検出部１１−４の検出する日時、名詞検出部１１−３の検出する名詞、及び、ウェブページ検索部１１−５の検索結果を、互いに関連付けて記憶する。キーワード格納部１２−１及び検出結果記憶部１２−２は、例えばメモリ１２を用いることができる。
【００２１】
音声認識部１１−１は、マイク１５からの音声データを文字列に変換する。キーワード検出部１１−２は、キーワード格納部１２−１に格納されているキーワードを文字列から検出する。名詞検出部１１−３は、キーワード検出部１１−２の検出するキーワードの前後の文字列から、名詞を検出する。日時検出部１１−４は、名詞検出部１１−３がキーワードを検出した日時を検出する。ウェブページ検索部１１−５は、名詞検出部１１−３の検出する名詞に関連するウェブページの所在を、通信ネットワーク１００上で検索する。音声認識部１１−１、キーワード検出部１１−２、名詞検出部１１−３、日時検出部１１−４、ウェブページ検索部１１−５は、例えば、ＣＰＵ（Ｃｅｎｔｒａｌ  Ｐｒｏｃｅｓｓｉｎｇ  Ｕｎｉｔ）１１を用いることができる。
【００２２】
本実施形態に係る携帯端末装置１０１は、本実施形態に係る情報記録方法を実行する。図３に、本実施形態に係る文字列変換方法の一例を示す。本実施形態に係る文字列変換方法は、音声認識手順Ｓ１１１と、キーワード検出手順Ｓ１１２と、情報収集手順Ｓ１１３と、情報記憶手順Ｓ１１４と、を順に有する。
【００２３】
音声認識手順Ｓ１１１では、マイクからの音声データを文字列に変換する。キーワード検出手順Ｓ１１２では、キーワードを格納するキーワード格納部１２−１に格納されているキーワードを文字列から検出する。キーワード格納部１２−１には、予め情報収集を行ないたいキーワードを格納しておく。これにより、情報収集したいと考えているキーワードに関連する名詞をリアルタイムで記録していくことができる。
【００２４】
情報収集手順Ｓ１１３では、キーワード検出手順Ｓ１１２でキーワードを検出した日時を検出する。さらに、キーワード検出手順Ｓ１１２で検出したキーワードの前後の文字列から名詞を検出する。これにより、キーワードに関連する情報を抽出することができる。さらに、検出した名詞に関連するウェブページの所在を通信ネットワーク１００上で検索する。
【００２５】
情報記憶手順Ｓ１１４では、情報収集手順Ｓ１１３で収集した情報を、互いに関連付けて記憶する。これにより、情報収集したいと考えているキーワードに関連する各種情報を関連付けて記録した記録データベースを作成することができる。このように、音声認識を利用しキーワードをトリガに情報記録するため、日々の行動を簡易に記録することができる。
【００２６】
本発明により、ユーザが意識することなくユーザの端末操作を必要とせずに、起きた出来事や情報をメモリ１２に記録することが可能となる。また感想や感嘆を表す語句を記録のトリガとすることで、ユーザにとって重要性の高い情報の収集が可能となる。
【００２７】
なお、本実施形態に係る携帯端末装置１０１は、本実施形態に係る情報記録プログラムを実行することで実現してもよい。図４に、本実施形態に係る文字列変換プログラムの一例を示す。本実施形態に係る文字列変換プログラムは、音声認識ステップＳ２１１と、キーワード検出ステップＳ２１２と、情報収集ステップＳ２１３と、情報記憶ステップＳ２１４と、を順にコンピュータに実行させる。
【００２８】
音声認識ステップＳ２１１では、マイク１５からの音声データを文字列に変換する。キーワード検出ステップＳ２１２では、キーワードを格納するメモリ１２に格納されているキーワードを文字列から検出する。情報収集ステップＳ２１３では、キーワード検出ステップＳ２１２でキーワードを検出した日時を検出するとともに、キーワード検出ステップＳ２１２で検出したキーワードの前後の文字列から名詞を検出し、検出した名詞に関連するウェブページの所在を通信ネットワーク１００上で検索する。情報記憶ステップＳ２１４では、情報収集ステップＳ２１３で収集した情報を、互いに関連付けて記憶する。
【００２９】
また、本実施形態に係る携帯端末装置１０１は、本実施形態に係る情報記録回路を用いることで実現してもよい。情報記録回路の構成は、図２で示した携帯端末装置１０１と同様である。すなわち、本実施形態に係る情報記録回路は、キーワード格納部１２−１と、マイク１５と、音声認識部１１−１と、キーワード検出部１１−２と、名詞検出部１１−３と、日時検出部１１−４と、ウェブページ検索部１１−５と、検出結果記憶部１２−２と、を備える。本実施形態に係る情報記録回路を装置に組み込むことで、本実施形態に係る携帯端末装置１０１を実現することができる。
【００３０】
（実施形態２）
図５に、本実施形態に係る携帯端末装置の一例を示す。本実施形態に係る携帯端末装置１０２は、実施形態１で説明した携帯端末装置１０１に、さらに、キーワード更新部１１−７と、電源制御部１８と、音声認識制御部１１−６と、位置特定部１４と、住所格納部１２−３と、カメラ１９と、を備える。
【００３１】
キーワード更新部１１−７は、キーワード格納部１２−１に格納するキーワードを更新する。例えば、携帯端末装置１０２の入力機能を用いてキーワード格納部１２−１の記録内容を更新する。これにより、収集したい情報を変更することができる。
【００３２】
携帯端末装置１０２の充電中は携帯端末装置１０２を利用していないことが多い。そこで、携帯端末装置１０２の充電中は音声認識記録機能をＯＦＦとする制御を追加してもよい。例えば、電源制御部１８を備える。電源制御部１８は、携帯端末装置１０２に備わる充電式電池が充電中であるか否かを判定する。音声認識制御部１１−６は、電源制御部１８が充電中であると判定すると、音声認識部１１−１の動作を停止させる。これにより、携帯端末装置１０２の電力消費量を低減することができる。
【００３３】
位置特定部１４は、名詞検出部１１−３がキーワードを検出した時におけるマイク１５の地理的位置を特定する。地理的位置の特定には、例えばＧＰＳ（Ｇｌｏｂａｌ  Ｐｏｓｉｔｉｏｎｉｎｇ  Ｓｙｓｔｅｍ）を用いる。これにより、音声認識を利用しキーワードをトリガに位置特定部１４を起動し、地理的位置を取得することができる。この場合、ウェブページ検索部１１−５は、名詞検出部１１−３の検出する名詞及び位置特定部１４の特定する地理的位置に関連するウェブページの所在を、通信ネットワーク１００上で検索する。これにより、記録情報をもとに自動でＷｅｂ検索を実施し情報取得・格納することができる。検出結果記憶部１２−２は、位置特定部１４の特定する地理的位置をさらに関連付けて記憶する。
【００３４】
住所格納部１２−３は、緯度及び経度で特定される住所を格納する。位置特定部１４は、名詞検出部１１−３がキーワードを検出した時におけるマイク１５の緯度及び経度を測定し、住所格納部１２−３を参照することで緯度及び経度で特定される住所を地理的位置として特定する。
【００３５】
位置特定部１４は、さらに、カメラ１９が画像を撮影した時における地理的位置を特定して画像と関連付ける。この場合、検出結果記憶部１２−２は、さらに、位置特定部１４の特定する位置と関連付けられている画像をさらに関連付けて記憶する。
【００３６】
本実施形態に係る携帯端末装置１０２は、本実施形態に係る情報記録方法を実行する。図６に、本実施形態に係る情報記録方法の一例を示す。本実施形態に係る情報記録方法は、図３に示す情報記録方法に、さらに、キーワード更新手順Ｓ１２１と、音声認識制御手順Ｓ１２２と、画像取得手順Ｓ１２３と、をさらに有する。
【００３７】
本発明ではあらかじめ記録のトリガとして、キーワードを格納しているが、このキーワードは更新する仕組みとしてもよい。例えば、キーワード更新手順Ｓ１２１をさらに実行する。キーワード更新手順Ｓ１２１は、少なくともキーワード検出手順Ｓ１１２の前に実行される。キーワード更新手順Ｓ１２１では、キーワード格納部１２−１に格納するキーワードを更新する。これにより、任意のキーワードに関連する情報を収集することができる。
【００３８】
音声認識制御手順Ｓ１２２は、音声認識手順Ｓ１１１の前に実行される。音声認識制御手順Ｓ１２２では、充電式電池が充電中であるか否かを判定し、充電式電池が充電中のときは音声認識手順Ｓ１１１の実行を停止する。
【００３９】
画像取得手順Ｓ１２３は、少なくとも情報記憶手順Ｓ１１４の前に実行される。情報収集手順Ｓ１１３の前であってもよい。画像取得手順Ｓ１２３では、カメラ１５で画像を撮影し、撮影時における地理的位置を特定して画像と関連付ける。この場合、情報記憶手順Ｓ１１４において、情報収集手順Ｓ１１３で特定した地理的位置と関連付けられている画像をさらに関連付けて記憶する。
【００４０】
また、情報収集手順Ｓ１１３において、さらに、キーワード検出手順Ｓ１１２でキーワードを検出した時におけるマイク１５の地理的位置を特定し、特定した地理的位置に関連するウェブページの所在を通信ネットワーク１００上で検索する。この場合、情報記憶手順Ｓ１１４において、情報収集手順Ｓ１１３で特定した地理的位置、及び、検索した地理的位置に関連するウェブページの所在をさらに関連付けて記憶する。
【００４１】
情報収集手順Ｓ１１３において、さらに、キーワード検出手順Ｓ１１２でキーワードを検出した時におけるマイク１５の緯度及び経度を測定し、緯度及び経度で特定される住所を格納する住所格納部１２−３を参照することで緯度及び経度で特定される住所を地理的位置として特定する。
【００４２】
なお、本実施形態に係る携帯端末装置１０２は、本実施形態に係る情報記録プログラムを実行することで実現してもよい。図７に、本実施形態に係る文字列変換プログラムの一例を示す。本実施形態に係る文字列変換プログラムは、図４に示す文字列変換プログラムに、さらに、キーワード更新ステップＳ２２１と、音声認識制御ステップＳ２２２と、画像取得ステップＳ２２３と、をさらに有する。
【００４３】
キーワード更新ステップＳ２２１は、少なくともキーワード検出ステップＳ２１２の前に実行される。キーワード更新ステップＳ２２１では、メモリ１２に格納するキーワードを更新する。これにより、任意のキーワードに関連する情報を収集することができる。
【００４４】
音声認識制御ステップＳ２２２は、音声認識ステップＳ２１１の前に実行される。音声認識制御ステップＳ２２２では、充電式電池が充電中であるか否かを判定し、充電式電池が充電中のときは音声認識ステップＳ２１１の実行を停止する。
【００４５】
画像取得ステップＳ２２３は、情報記憶ステップＳ２１４の前に実行される。画像取得ステップＳ２２３では、カメラ１５に画像を撮影させ、撮影時における地理的位置を特定して画像と関連付ける。この場合、情報記憶ステップＳ２１４において、情報収集ステップＳ２１３で特定した地理的位置と関連付けられている画像をさらに関連付けて記憶する。
【００４６】
情報収集ステップＳ２１３において、さらに、キーワード検出ステップＳ２１２でキーワードを検出した時におけるマイク１５の地理的位置を特定し、特定した地理的位置に関連するウェブページの所在を通信ネットワーク１００上で検索してもよい。この場合、情報記憶ステップＳ２１４において、情報収集ステップＳ２１３で特定した地理的位置、及び、検索した地理的位置に関連するウェブページの所在をさらに関連付けて記憶する。
【００４７】
情報収集ステップＳ２１３において、さらに、キーワード検出ステップＳ２１２でキーワードを検出した時におけるマイク１５の緯度及び経度を測定し、緯度及び経度で特定される住所を格納するメモリ１２を参照することで緯度及び経度で特定される住所を地理的位置として特定してもよい。
【００４８】
また、本実施形態に係る携帯端末装置１０２は、本実施形態に係る情報記録回路を用いることで実現してもよい。情報記録回路の構成は、図５で示した携帯端末装置１０２と同様である。すなわち、本実施形態に係る情報記録回路は、実施形態１で説明した情報記録回路に、さらに、キーワード更新部１１−７と、電源制御部１８と、音声認識制御部１１−６と、位置特定部１４と、住所格納部１２−３を備える。本実施形態に係る情報記録回路を装置に組み込むことで、本実施形態に係る携帯端末装置１０２を実現することができる。
【００４９】
（実施形態３）
図８に、本実施形態に係る携帯端末装置の構成例を示す。本実施形態に係る携帯端末装置１０３は、端末の動作を制御するＣＰＵ１１、情報を保持するメモリ１２、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００網などの通信ネットワークに接続する無線通信部分の通信部１３、現在位置計測を可能とする位置特定部１４、ユーザ音声を拾い電気信号に変換するマイク１５、端末情報を表示するＬＣＤ（Ｌｉｑｕｉｄ  Ｃｒｙｓｔａｌ  Ｄｉｓｐｌａｙ）等の表示部１６、ユーザの操作を検出するキー入力装置等の操作部１７、携帯端末装置１０３への充電制御及び充電有無の検知を行なう電源制御部１８から構成される。
【００５０】
図９に、本実施形態に係る携帯端末装置の外観例であり、（ａ）は正面図を示し、（ｂ）は側面図を示す。マイク１５と表示部１６は、携帯端末装置１０３の同一面上に配置されている。これにより、携帯端末装置１０３のユーザは、表示部１６を見ながらマイク１５に音声を入力することができる。このとき操作部１７は、前記同一面と隣接するいずれかの側面に配置される。
【００５１】
図１０に、音声認識により情報記録を行なう制御フローの一例を示す。図中の状態をＡ○○○にて示す。状態Ａ１０１では、制御フローは本音声認識記録機能「ＯＮ」となっている。この状態をスタートとする。
【００５２】
状態Ａ１０２では、音声認識記録機能ＯＮ状態においてはマイク１５にて携帯端末周囲の音声を検知し、制御部１１にて音声認識を実施する。状態Ａ１０３では、音声認識にて音声を文字列に変換し、認識結果文字列をメモリ１２へ一時的に保存する。
【００５３】
状態Ａ１０４では、一定時間分の認識結果文字列が保持されたら、保持している認識結果文字列とキーワードとを比較する。ここで、キーワードとはあらかじめメモリ１２に格納しているキーワードとなり、ユーザが音声で発すると予測される「おいしい」や「すごい」等の感想や感嘆を表す語句をキーワードとして用意しておく。
【００５４】
状態Ａ１０５では、状態Ａ１０４におけるキーワードとの比較により、認識結果文字列内にキーワードと一致する語句が含まれるか否かを判定する。認識結果文字列内にキーワードと一致する語句が含まれる場合は状態Ａ１０６へ移行し、認識結果文字列内にキーワードと一致する語句が含まれない場合は状態Ａ１１２へ移行する。
【００５５】
状態Ａ１０６では、一致したキーワードと現在時刻を記録データベースに保存する。状態Ａ１０７では、位置特定部１４を起動し現在位置情報を取得し、位置情報を記録データベースに保存する。状態Ａ１０８では、キーワードと一致した認識結果文字列の前後において名詞・固有名詞が存在しないか検索する。
【００５６】
状態Ａ１０９では、状態Ａ１０８の検索の結果、名詞・固有名詞が存在するか否かを判定する。名詞・固有名詞が存在すれば状態Ａ１１０へ移行し、名詞・固有名詞が存在しなければ状態Ａ１１２へ移行する。
【００５７】
状態Ａ１１０では、検索の結果得られた名詞・固有名詞を記録情報として記録データベースに保存する。状態Ａ１１１では、状態Ａ１１０で保存した記録情報を元に通信部１３を用いてＷｅｂ検索を実施し、検索結果をＷｅｂ情報として記録データベースに保存する。
【００５８】
状態Ａ１１２では、状態Ａ１０３にて一時保存している認識結果文字列については、一定時間以上前のデータを随時消去する。本制御の一連の流れは以上となり、状態Ａ１１３で終了となる。ただし、音声認識記録機能が「ＯＮ」である場合、状態Ａ１０１へ戻り制御が繰り返される。
【００５９】
図１１に、記録データベースの一例を示す。この記録データベースはユーザが操作部１７を操作することで呼び出し可能で、表示部１６へ表示が可能となる。表示は位置情報を利用してマップ上にプロットする等により、ユーザが後から自分の行動において起きた出来事・情報を振り返ることができる。
【００６０】
なお、本発明ではあらかじめ記録のトリガとして、記録キーワードを格納しているが、このキーワード情報は通信部１３を用いて外部サーバと通信し、更新する仕組みとしてもよい。
【００６１】
状態Ａ１１１において記録情報を元にＷｅｂ検索を実施しているが、位置情報を住所情報に変換し、本住所情報も加えてＷｅｂ検索を実施してもよい。
【００６２】
また、携帯端末装置１０３がカメラ付きの場合、記録データベースに保持している位置情報と同じ位置でカメラ撮影をした場合、追加情報として撮影画像との紐付けを記録データベースへ追加保存する実装としてもよい。
【産業上の利用可能性】
【００６３】
本発明は、携帯電話に適用可能であるため、情報通信産業に利用することができる。
【符号の説明】
【００６４】
１１：ＣＰＵ
１１−１：音声認識部
１１−２：キーワード検出部
１１−３：名詞検出部
１１−４：日時検出部
１１−５：ウェブページ検索部
１１−６：音声認識制御部
１１−７：キーワード更新部
１２：メモリ
１２−１：キーワード格納部
１２−２：検出結果記憶部
１２−３：住所格納部
１３：通信部
１４：位置特定部
１５：マイク
１６：表示部
１７：操作部
１８：電源制御部
１９：カメラ
９１：ウェブサーバ
１００：通信ネットワーク
１０１、１０２、１０３：携帯端末装置
【図１】
0005471274.tif 000002
【図２】
0005471274.tif 000003
【図３】
0005471274.tif 000004
【図４】
0005471274.tif 000005
【図５】
0005471274.tif 000006
【図６】
0005471274.tif 000007
【図７】
0005471274.tif 000008
【図８】
0005471274.tif 000009
【図９】
0005471274.tif 000010
【図１０】
0005471274.tif 000011
【図１１】
0005471274.tif 000012